(57)【要約】  【課題】  簡単なインターフェースで適切な決済方式を選択できる携帯端末を提供する。  【解決手段】  携帯端末１０は、記憶部２０に複数の決済方式のそれぞれに対応する複数のプログラム２２を記憶しており、複数の決済方式に対応可能である。携帯端末１０は、過去に採用した決済方式とその決済場所に関する情報とを関連付けて記憶部２０に記憶している。携帯端末１０は、決済装置３０から、その決済装置が対応する決済方式およびその決済装置が設置された決済場所に関する情報をＩＣチップ１８にて受信し、ＩＣチップ１８にて受信した決済場所に関する情報に対応する決済方式を記憶部２０から読み出して、決済装置３０と携帯端末１０とに共通する決済方式から一の決済方式を選択し、選択された決済方式に対応するプログラムを記憶部２０から読み出して実行する。【選択図】  図１
2007102319.tif 000002
【特許請求の範囲】
【請求項１】
複数の決済方式のそれぞれに対応する複数のプログラムを記憶したプログラム記憶部と、
過去に採用した決済方式とその決済装置の所属に関する情報とを関連付けて記憶した履歴記憶部と、
複数の決済方式に対応した決済装置から、その決済装置が対応する決済方式およびその決済装置の所属に関する決済装置情報を受信する受信部と、
前記受信部にて受信した決済装置情報に対応する決済方式を前記履歴記憶部から読み出して、前記決済装置と自端末とに共通する一の決済方式を選択する決済方式選択部と、
を備え、
前記決済方式選択部にて選択された決済方式に対応するプログラムを前記プログラム記憶部から読み出して実行することを特徴とする携帯端末。
【請求項２】
前記決済装置情報は、前記決済装置が設置された場所に関する情報であることを特徴とする請求項１に記載の携帯端末。
【請求項３】
前記決済方式選択部は、前記受信部にて受信した決済場所に関する情報に対応する複数の決済方式が読み出された場合には、直近に採用した決済方式を選択することを特徴とする請求項２に記載の携帯端末。
【請求項４】
複数の決済方式のそれぞれに対応する複数のプログラムを記憶したプログラム記憶部と、
過去に採用した決済方式を記憶した履歴記憶部と、
複数の決済方式に対応した決済装置から、その決済装置が対応する決済方式に関する情報を受信する受信部と、
前記決済装置と自端末とに共通する決済方式を前記履歴記憶部に記憶された履歴に基づいて定められる順番に従って並べて表示する表示部と、
前記表示部に表示された決済方式の中から決済方式の選択を受け付ける決済方式受付部と、
を備え、
前記決済方式受付部にて受け付けた決済方式に対応するプログラムを前記プログラム記憶部から読み出して実行することを特徴とする携帯端末。
【請求項５】
前記表示部は、直近に用いられた決済方式を最上位に表示することを特徴とする請求項４に記載の携帯端末。
【請求項６】
前記表示部は、複数の決済方式を使用頻度の多い順番に並べて表示する請求項５に記載の携帯端末。
【請求項７】
複数の決済方式のそれぞれに対応する複数のプログラムを記憶したプログラム記憶部と、
過去に採用した決済方式とその決済場所に関する情報とを関連付けて記憶した履歴記憶部と、
複数の決済方式に対応した決済装置から、その決済装置が対応する決済方式およびその決済装置が設置された決済場所に関する情報を受信する受信部と、
前記受信部にて受信した決済場所に関する情報に対応する決済方式を前記履歴記憶部から読み出して、前記決済装置と自端末とに共通する決済方式から一の決済方式を選択する決済方式選択部と、
前記決済方式選択部にて選択された決済方式で決済を行うか否かの選択を受け付ける決済可否選択部と、
前記決済方式で決済を行わないことが選択された場合に、前記決済装置と自端末とに共通する決済方式を前記履歴記憶部に記憶された履歴に基づいて定められる順番に従って並べて表示する表示部と、
前記表示部に表示された決済方式の中から決済方式の選択を受け付ける決済方式受付部と、
を備え、
前記決済方式選択部にて選択された決済方式または前記決済方式受付部にて受け付けた決済方式に対応するプログラムを前記プログラム記憶部から読み出して実行することを特徴とする携帯端末。
【請求項８】
複数の決済方式に対応した決済装置であって、
決済装置が設置された場所に関する情報を記憶する設置場所記憶部と、
携帯端末から送信される、その携帯端末が対応する決済方式を示す情報を受信する決済方式受信部と、
前記携帯端末と決済装置とに共通する決済方式を抽出する共通決済方式抽出部と、
前記共通決済方式抽出部にて抽出された決済方式と前記設置場所記憶部に記憶された場所に関する情報とを前記携帯端末に送信する送信部と、
を備えたことを特徴とする決済装置。
【請求項９】
複数の決済方法のそれぞれに対応する複数のプログラムを記憶したプログラム記憶部と、
端末に対し前記プログラムの各々について対応するプログラムの有無を確認する情報送信部と、
前記端末からの応答が対応プログラム有りを示す肯定応答であったプログラムを記憶するメモリと、
前記メモリの内容を前記端末に送信する送信部と、
を備えたことを特徴とする決済装置。
【請求項１０】
複数の決済方式に対応した決済装置であって、
携帯端末から送信される、その携帯端末が対応する決済方式を示す情報およびその携帯端末での決済方式の採用履歴を受信する受信部と、
前記携帯端末と決済装置とに共通する決済方式を抽出する共通決済方式抽出部と、
前記共通決済方式抽出部にて抽出された共通決済方式を前記採用履歴に基づいて定められる順番に従って並べて表示する表示部と、
前記表示部に表示された決済方式の中から決済方式の選択を受け付ける決済方式受付部と、
を備えたことを特徴とする決済装置。
【発明の詳細な説明】
【技術分野】
【０００１】
本発明は、複数の決済方式に対応した携帯端末および決済装置に関する。
【背景技術】
【０００２】
従来から、クレジットによる決済や銀行口座引き落としによる決済を行えるＩＣカードや携帯端末が知られている。また、単一の決済方式のみならず、複数の決済方式に対応可能なＩＣカードも知られている。ＩＣカードや携帯端末に複数の決済方式が搭載されている場合には、決済時にどの決済方式を採用するかをオペレータに通知しなければならない。
【０００３】
特許文献１には、複数の決済方式で決済可能な多機能型ＩＣカードで決済処理の処理効率の向上を図る技術が提案されている。この多機能型ＩＣカードでは、各決済手段の優先順位および各決済手段により決済可能な金額をメモリに記憶しておく。そして、決済手段の自動選択キーが操作された場合には、優先順位の高い決済手段から順に決済可能か否かをチェックしていくことにより、決済可能な決済手段のうちで最も優先順位の高い決済手段を選択する。これにより、特許文献１に記載の多機能型ＩＣカードでは、所有者がオペレータに決済手段を通知しなくても、予め設定された希望情報に基づいて決済処理を実行することが可能となる。
【特許文献１】特開２００２−９９８４７号（８−９頁、図９）
【発明の開示】
【発明が解決しようとする課題】
【０００４】
しかしながら、特許文献１では、決済処理を行う決済装置が多機能型ＩＣカードの持つ複数の決済方式に対応可能なことを前提としているが、あらゆる決済方式に対応できる決済装置を実際に準備することは容易ではない。従って、希望情報に基づいて決済方式を決定しても、その決済方式に決済装置が対応できるとは限らない。
【０００５】
また、特許文献１に記載された多機能型ＩＣカードでは、予め設定された優先順位に応じて決済方式を選択するに過ぎないため、カード所有者のきめ細かいニーズに応えることができない。例えば、ある店舗において、その店舗が提供する決済手段を利用すると特典を受けられる等の事情がある場合には、その店舗では、その店舗が提供する決済手段を利用したいとのニーズがある。しかし、特許文献１に記載された技術では、各決済手段の優先度を一律に定めているので、このようなきめ細かいニーズに応えることができない。
【０００６】
本発明は、上記背景に鑑み、簡単なインターフェースで適切な決済方式を選択できる携帯端末および決済装置を提供することを目的とする。
【課題を解決するための手段】
【０００７】
本発明の携帯端末は、複数の決済方式のそれぞれに対応する複数のプログラムを記憶したプログラム記憶部と、過去に採用した決済方式とその決済装置の所属に関する情報とを関連付けて記憶した履歴記憶部と、複数の決済方式に対応した決済装置から、その決済装置が対応する決済方式およびその決済装置の所属に関する決済装置情報を受信する受信部と、前記受信部にて受信した決済装置情報に対応する決済方式を前記履歴記憶部から読み出して、前記決済装置と自端末とに共通する一の決済方式を選択する決済方式選択部とを備え、前記決済方式選択部にて選択された決済方式に対応するプログラムを前記プログラム記憶部から読み出して実行する構成を有する。
【０００８】
この構成により、携帯端末と決済装置とに共通の複数の決済方式のうちから、過去の採用履歴に基づいて、決済装置の所属に応じた決済方法が選択されるので、その決済装置の所属に基づいてユーザが希望する可能性の高い決済方式を選択することが可能となる。
【０００９】
本発明の携帯端末は、前記決済装置情報として、前記決済装置が設置された場所に関する情報を用いる。
【００１０】
この構成により、決済場所に応じて、決済方式を選択することが可能となる。
【００１１】
上記携帯端末において、前記決済方式選択部は、前記受信部にて受信した決済場所に関する情報に対応する複数の決済方式が読み出された場合には、直近に採用した決済方式を選択する構成を有する。
【００１２】
この構成により、最も新しい情報に基づいて決済方式が選択されるので、ユーザが希望する可能性の高い決済方式を選択することが可能となる。
【００１３】
本発明の他の態様に係る携帯端末は、複数の決済方式のそれぞれに対応する複数のプログラムを記憶したプログラム記憶部と、過去に採用した決済方式を記憶した履歴記憶部と、複数の決済方式に対応した決済装置から、その決済装置が対応する決済方式に関する情報を受信する受信部と、前記決済装置と自端末とに共通する決済方式を前記履歴記憶部に記憶された履歴に基づいて定められる順番に従って並べて表示する表示部と、前記表示部に表示された決済方式の中から決済方式の選択を受け付ける決済方式受付部とを備え、前記決済方式受付部にて受け付けた決済方式に対応するプログラムを前記プログラム記憶部から読み出して実行する構成を有する。
【００１４】
この構成により、携帯端末と決済装置とに共通の複数の決済方式のうちから、決済方式の採用履歴に応じて決済方式が表示されるので、過去の採用履歴に基づいて、ユーザが希望する可能性の高い決済方式から順に並べて決済方式を表示することができる。これにより、ユーザは、所望の決済方式を容易に選択することができる。
【００１５】
上記携帯端末において、前記表示部は、直近に用いられた決済方式を最上位に表示する構成を有する。
【００１６】
この構成により、直近に用いられた決済方式が最上位に表示されるので、直近に用いられた決済方式を容易に選択することができる。
【００１７】
上記携帯端末において、前記表示部は、複数の決済方式を使用頻度の多い順番に並べて表示する構成を有する。
【００１８】
この構成により、使用頻度の高い順番に並べて表示されるので、使用頻度の高い決済方式を容易に選択することができる。
【００１９】
本発明の他の態様に係る携帯端末は、複数の決済方式のそれぞれに対応する複数のプログラムを記憶したプログラム記憶部と、過去に採用した決済方式とその決済場所に関する情報とを関連付けて記憶した履歴記憶部と、複数の決済方式に対応した決済装置から、その決済装置が対応する決済方式およびその決済装置が設置された決済場所に関する情報を受信する受信部と、前記受信部にて受信した決済場所に関する情報に対応する決済方式を前記履歴記憶部から読み出して、前記決済装置と自端末とに共通する決済方式から一の決済方式を選択する決済方式選択部と、前記決済方式選択部にて選択された決済方式で決済を行うか否かの選択を受け付ける決済可否選択部と、前記決済方式で決済を行わないことが選択された場合に、前記決済装置と自端末とに共通する決済方式を前記履歴記憶部に記憶された履歴に基づいて定められる順番に従って並べて表示する表示部と、前記表示部に表示された決済方式の中から決済方式の選択を受け付ける決済方式受付部とを備え、前記決済方式選択部にて選択された決済方式または前記決済方式受付部にて受け付けた決済方式に対応するプログラムを前記プログラム記憶部から読み出して実行する構成を有する。
【００２０】
この構成により、携帯端末と決済装置とに共通の複数の決済方式のうちから、過去の採用履歴に基づいて、決済場所に応じた決済方法が選択されるので、その決済場所においてユーザが希望する可能性の高い決済方式を選択することができる。また、選択された決済方式が採用されない場合には、携帯端末と決済装置とに共通の複数の決済方式のうちから、決済方式の採用履歴に応じて決済方式が表示されるので、ユーザは、希望により、直近の決済方式を選択することも、直近の決済方式と異なる決済方式を選択することもできる。また、決済方式の選択肢は、過去の採用履歴に基づいて定められる順番に並べて表示されるので、ユーザの希望する決済方式を容易に選択することが可能となる。
【００２１】
本発明の決済装置は、複数の決済方式に対応した決済装置であって、決済装置が設置された場所に関する情報を記憶する設置場所記憶部と、携帯端末から送信される、その携帯端末が対応する決済方式を示す情報を受信する決済方式受信部と、前記携帯端末と決済装置とに共通する決済方式を抽出する共通決済方式抽出部と、前記共通決済方式抽出部にて抽出された決済方式と前記設置場所記憶部に記憶された場所に関する情報とを前記携帯端末に送信する送信部とを備えた構成を有する。
【００２２】
この構成により、設置場所に関する情報を携帯端末に送信するので、携帯端末側で決済の場所に応じて決済方式を選択することができ、ユーザが希望する可能性の高い決済方法を選択できる。
【００２３】
本発明の別の態様に係る決済装置は、複数の決済方法のそれぞれに対応する複数のプログラムを記憶したプログラム記憶部と、端末に対し前記プログラムの各々について対応するプログラムの有無を確認する情報送信部と、前記端末からの応答が対応プログラム有りを示す肯定応答であったプログラムを記憶するメモリと、前記メモリの内容を前記端末に送信する送信部とを備えた構成を有する。
【００２４】
この構成により、携帯端末と決済装置とに共通する決済方式を容易に抽出できる。
【００２５】
本発明の別の態様の決済装置は、複数の決済方式に対応した決済装置であって、携帯端末から送信される、その携帯端末が対応する決済方式を示す情報およびその携帯端末での決済方式の採用履歴を受信する受信部と、前記携帯端末と決済装置とに共通する決済方式を抽出する共通決済方式抽出部と、前記共通決済方式抽出部にて抽出された共通決済方式を前記採用履歴に基づいて定められる順番に従って並べて表示する表示部と、前記表示部に表示された決済方式の中から決済方式の選択を受け付ける決済方式受付部とを備えた構成を有する。
【００２６】
この構成により、携帯端末と決済装置とに共通の複数の決済方式のうちから、過去の採用履歴に基づいて、決済方式の採用履歴に応じた決済方式が表示されるので、ユーザが希望する可能性の高い決済方式から順に並べて決済方式を表示することができる。これにより、ユーザは、所望の決済方式を容易に選択することが可能となる。
【発明の効果】
【００２７】
本発明によれば、携帯端末と決済装置とに共通の複数の決済方式のうちから、過去の採用履歴に基づいて、決済場所に応じた決済方法が選択されるので、その決済場所においてユーザが希望する可能性の高い決済方式を選択できるという優れた効果を有する。
【発明を実施するための最良の形態】
【００２８】
以下、本発明の実施の形態の携帯端末および決済装置について図面を用いて説明する。
図１は、実施の形態の携帯端末１０および決済装置３０の構成を示す図である。決済装置３０は、回線７０（決済のための専用回線、インターネットなどの公衆回線等をいう）を通じて金融機関の端末７２またはクレジット会社の端末７４、あるいは企業独自端末７６に接続されている。決済装置３０は、回線７０を通じて、金融機関の端末７２またはクレジット会社の端末７４、あるいはポイントを管理する企業独自端末７６にアクセスすることにより、決済を行うことが可能である。
【００２９】
決済装置３０は、ＰＯＳレジ６０に接続されている。本実施の形態における決済装置３０は、ＰＯＳレジ６０にて計算された商品の合計金額を決済するために用いられる。決済装置３０は、例えば、リーダライタ装置に決済機能を搭載することによって構成し、ＰＯＳレジ６０に外付けされる。なお、本実施の形態では、決済装置３０がＰＯＳレジ６０に接続される例について説明しているが、決済装置３０は例えば自動販売機等に接続されてもよい。また、ＰＯＳレジ６０自体に、以下に説明する決済装置３０の機能を搭載してもよい。
【００３０】
なお、ＰＯＳレジ６０は、決済装置３０と回線７０の中間に設けてもよい。この場合、決済情報がＰＯＳレジを通過するときに、ＰＯＳレジ６０がその決済情報を集計することとしてもよい。この場合、ＰＯＳインターフェース３６の機能は、通信インターフェース４０が受け持つ。
【００３１】
携帯端末１０は、複数の決済方式によって決済できる機能を有する。携帯端末１０は、決済装置３０のリーダライタインターフェース３８にかざすことによって、決済装置３０との間で情報を送受信することができる。
【００３２】
次に、携帯端末１０および決済装置３０の詳しい構成について説明する。携帯端末１０は、通常のコンピュータと同様に、ＣＰＵ１２、表示部１４、入力部１６、記憶部２０、を備えている。また、携帯端末１０は、ＩＣチップ１８を備えており、決済装置３０のリーダライタインターフェース３８によって読み取られることにより、決済装置３０との間で情報の送受信を行える。
【００３３】
携帯端末１０の記憶部２０には、携帯端末１０が対応できる決済方式を実行するための決済プログラムが記憶されている。この例では、携帯端末１０の記憶部２０には、Ａ決済プログラム２２ａ、Ｂ決済プログラム２２ｂ、Ｃ決済プログラム２２ｃ、Ｄ決済プログラム２２ｄ（以下、複数の決済プログラムを総称して、「決済プログラム２２」という）が記憶されている。これにより、携帯端末１０は電子マネーＡによる決済、電子マネーＢによる決済、Ｃクレジットによる決済、Ｄデビットによる決済を行うことができる。以下の説明では、Ａ決済プログラムによって実行される決済方式を決済方式Ａ等と呼ぶこともある。決済プログラムは、携帯端末１０の購入時に予め記憶部２０に保存されていてもよいし、回線７０等を通じてダウンロードして記憶部２０に保存してもよい。また、携帯端末１０の記憶部２０には、決済履歴２４が記憶される。
【００３４】
図２は、記憶部２０に記憶された決済履歴２４の例を示す図である。携帯端末１０の記憶部２０は、決済日時、決済場所および決済方式に関する情報を決済履歴として記憶している。決済日時に関する情報は、決済を行った日時を示す情報である。決済場所に関する情報は、決済を行った店舗を示す情報である。決済場所に関する情報は、例えば、コンビニＹのように、店舗の種類を示す。従って、コンビニＹであれば、例えば、コンビニＹの赤坂店とコンビニＹの大手町店というように店の場所が異なっていても同じ決済場所として記憶している。決済方式に関する情報は、決済を行った決済方式を示す情報である。この決済履歴２４から、各決済場所におけるそれぞれの決済方式の使用頻度と、直近の決済方式の情報とを取得することができる。
【００３５】
本実施の形態では、記憶部２０は、決済日時と決済場所に関する情報のみを記憶した例を説明しているが、記憶部２０はさらに決済金額の情報やサービスポイント情報等を記憶することとしてもよい。
【００３６】
次に、決済装置３０について説明する。図１に示すように、決済装置３０は、ＣＰＵ３２、表示部３４、記憶部５０を備えている。また、決済装置３０は、ＰＯＳレジ６０と通信するＰＯＳインターフェース３６と、携帯端末１０のＩＣチップ１８を読み取るリーダライタインターフェース３８と、回線７０に接続するための通信インターフェース４０とを備えている。
【００３７】
決済装置３０の記憶部５０には、決済装置３０が対応可能な決済方式を実行するための決済プログラムが記憶されている。この例では、決済装置３０の記憶部５０には、Ａ決済プログラム５２ａ、Ｂ決済プログラム５２ｂ、Ｃ決済プログラム５２ｃ、Ｅ決済プログラム５２ｅが記憶されている。これにより、決済装置３０は、電子マネーＡによる決済、電子マネーＢによる決済、Ｃクレジットによる決済、Ｅクレジットによる決済を行うことができる。これらの決済プログラムは、携帯端末１０と同様に、決済装置３０の設置時に予め記憶部５０に保存されていてもよいし、回線７０等を通じてダウンロードして記憶部５０に保存してもよい。また、決済装置３０の記憶部５０には、決済装置３０が設置された場所に関する場所情報が記憶されている。場所情報は、携帯端末１０の記憶部２０に決済履歴として記憶された決済場所に関する情報に対応する情報である。
【００３８】
次に、実施の形態の携帯端末１０および決済装置３０の動作について説明する。
図３は、決済時における携帯端末１０の動作を示すフローチャートである。携帯端末１０を用いた決済が行われる状況としては、例えば、店員が商品の値段を入力し、ＰＯＳレジ６０に合計金額が表示されたときに、その合計金額を携帯端末１０を用いて決済する場合等が考えられる。
【００３９】
まず、ユーザは、携帯端末１０をＰＯＳレジ６０に接続された決済装置３０にかざし、携帯端末１０に搭載されたＩＣチップ１８を決済装置３０のリーダライタインターフェース３８に近づけることにより、決済装置３０にＩＣチップ１８を読み取らせる。これにより、携帯端末１０と決済装置３０との間での情報の送受信が可能となる。携帯端末１０は、決済装置３０から、決済装置３０と携帯端末１０に共通する共通決済方式の情報と、決済装置３０が設置された場所に関する情報とを取得する（Ｓ１０）。
【００４０】
次に、共通決済方式の情報と場所に関する情報を取得する２種類の方法について、図４および図５を用いて説明する。
図４は、共通決済方式の情報と場所に関する情報とを取得する詳細な動作を示すフローチャートである。携帯端末１０は、携帯端末１０が対応する決済方式の情報を決済装置３０に送信する（Ｓ３０）。決済装置３０は、携帯端末１０から送信された決済方式の情報を受信すると（Ｓ３２）、携帯端末１０と決済装置３０とに共通する決済方式を抽出する処理を行う（Ｓ３４〜Ｓ４０）。
【００４１】
携帯端末１０と決済装置３０とに共通する決済方式を抽出する動作について詳しく説明する。決済装置３０は、携帯端末１０から受信した決済方式のうちの一の決済方式を選択し（Ｓ３４）、決済装置３０が選択された決済方式と同じ決済方式に対応しているか否かを判断する（Ｓ３６）。決済装置３０内に同じ決済方式を行える決済プログラムが記憶されている場合には（Ｓ３６でＹＥＳ）、決済装置３０が携帯端末１０と同じ決済方式に対応しているので、その決済方式を示す情報をメモリに記憶する（Ｓ３８）。
【００４２】
この例では、決済装置３０は、携帯端末１０が決済方式Ａ〜Ｄに対応可能という情報を携帯端末１０から受信する。このうちの決済方式Ａを選択すると（Ｓ３４）、決済装置３０も決済方式Ａを実行できるので（Ｓ３６でＹＥＳ）、決済方式Ａをメモリに記憶する。同様にして、決済方式Ｂ，Ｃもメモリに記憶する。決済装置３０内に同じ決済方式を行える決済プログラムがない場合には（Ｓ３６でＮＯ）、決済装置３０は、メモリへの記憶を行わないで次のステップに移行する。例えば、決済装置３０は、決済方式Ｄに対応していないので（Ｓ３６でＮＯ）、決済方式Ｄをメモリに記憶しない。
【００４３】
決済装置３０は、携帯端末１０から受信した全ての決済方式について、同じ決済方式を行える決済プログラムがあるか否かの判断を行ったかをチェックする（Ｓ４０）。その結果、すべての決済方式について判断した場合には（Ｓ４０でＹＥＳ）、決済装置３０は、携帯端末１０と決済装置３０とに共通の決済方式として、メモリに記憶された決済方式を携帯端末１０に送信する（Ｓ４２）。このとき、決済装置３０は、メモリに記憶された設置場所を示す情報を併せて携帯端末１０に送信する。携帯端末１０では、決済装置３０から送信された共通決済方式を示す情報および決済場所を示す情報を受信し、共通決済方式を示す情報を取得する（Ｓ４４）。
【００４４】
図５は、決済装置３０から携帯端末１０の複数決済の各々について、問合せを行う場合の処理を示す図である。決済装置３０は、携帯端末１０にポーリングを行い、決済装置３０が対応するそれぞれの決済方式について一つずつ問い合わせる（Ｓ５０、Ｓ５２）。携帯端末１０は、決済装置３０から受信した決済方式と同じ決済方式に対応しているか否かを判定し（Ｓ５４）、同一の決済方式がない場合には（Ｓ５４でＮＯ）、決済装置３０に否定応答を送信し（Ｓ５６）、同一の決済方式がある場合には（Ｓ５４でＹＥＳ）、決済装置３０に肯定応答を送信する（Ｓ５８）。ここでは、同一の決済方式がない場合に否定応答を送信しているが（Ｓ５６）、応答しない態様とすることも可能である。
【００４５】
決済装置３０は、携帯端末１０からの応答を受信すると（Ｓ６０）、受信した応答が肯定応答であるか否かを判定する（Ｓ６２）。受信した応答が肯定応答である場合には（Ｓ６２でＹＥＳ）、その決済方式を示す情報をメモリに記憶する（Ｓ６４）。そして、全決済方式について問合せを行ったか判定し（Ｓ６６）、まだ問合せを行っていない決済方式がある場合には（Ｓ６６でＮＯ）、携帯端末１０へのポーリングを行う（Ｓ５０）。全決済方式について問合せを行った場合には（Ｓ６６でＹＥＳ）、決済装置３０は、共通決済方式および場所情報を携帯端末１０に送信する（Ｓ６８、Ｓ７０）。
【００４６】
次に、共通決済方式を取得した後の携帯端末１０の動作について、再び図３を参照して説明する。携帯端末１０は、決済方式を自動選択する機能がＯＮされているか否かを判定する（Ｓ１２）。自動選択機能ＯＮの場合には、携帯端末１０は決済方式を自動選択し、自動選択機能ＯＦＦの場合には、携帯端末１０は決済方式をユーザに選択させる。自動選択機能を使用するか否かをユーザが設定できることにより、自動選択を希望する場合とそうでない場合の両方に対応できるので、利便性を高めることができる。なお、この機能を有することは任意であり、自動選択機能ＯＮ／ＯＦＦの切替えがない態様も本発明の範囲に含まれる。
【００４７】
自動選択機能がＯＮの場合には、携帯端末１０は記憶部２０に記憶された決済履歴情報に基づいて、同一場所における決済履歴が存在するか否かを判定する（Ｓ１４）。その結果、同一場所における決済履歴が存在する場合には、携帯端末１０は、その場所において直近に使用された決済方式を表示し（Ｓ１６）、その決済方式で決済を行ってよいか否かをユーザに問い合わせる（Ｓ１８）。
【００４８】
携帯端末１０は、図７に示すような画面表示を行い、「ＯＫ」または「中止」の入力を受け付ける。「ＯＫ」が入力された場合には、画面に表示された決済方式での決済処理を行い（Ｓ２４）、「中止」が入力された場合には、画面に表示された決済方式での決済を行わないで、決済方式の選択を受け付ける処理に移行する（Ｓ２０）。
【００４９】
次に、携帯端末１０が、決済方式の選択を受け付ける処理について説明する。なお、決済方式の選択を受け付ける処理（Ｓ２０）は、携帯端末１０によって選択された決済方式が中止された場合（Ｓ１８でＮＯ）のみならず、決済方式自動選択機能がＯＦＦである場合（Ｓ１２でＮＯ）、同一の決済場所での決済履歴がない場合にも（Ｓ１４でＮＯ）、実行される。
【００５０】
図６は、決済方式の選択を受け付ける処理（Ｓ２０）について詳しく説明するフローチャートである。まず、携帯端末１０は、記憶部２０に記憶された決済履歴２４を読み出す（Ｓ８０）。続いて、携帯端末１０は、読み出した決済履歴２４に基づいて、直近に用いた決済方式を１位に順位付けし（Ｓ８２）、その次に、使用頻度の高い順に２位以下の順位を付す（Ｓ８４）。その後、携帯端末１０は、付与した順位に従って決済方式を並べて表示部１４に表示する（Ｓ８６）。
【００５１】
図８は、携帯端末１０に表示される画面例を示す図である。携帯端末１０には、直近に用いた決済方式である電子マネーＢが第１の選択肢として表示される。次に、電子マネーＢ以外の決済方式の中で、使用頻度の高い決済方式である電子マネーＡが第２の選択肢として表示される。続いて、電子マネーＡに次いで使用頻度の高い決済方式であるＣクレジットが第３の選択肢として表示される。図８に示す画面において、順位１位の電子マネーＢに最初にフォーカスが当たっており、次に下方向にカーソルを移動すると第２の選択肢にフォーカスが当たり、さらに下方向にカーソルを移動すると第３の選択肢にフォーカスが当たる。従って、順位の高い選択肢を容易に選択することができる。なお、決済方式の選択は、カーソルの移動のみならず、決済方式を示す選択肢の番号を入力によっても行える。
【００５２】
次に、決済方式一覧を表示した後の携帯端末１０の動作について、再び図３を参照して説明する。図８に示す画面で、決済方式が選択され、「決定」が押されると、携帯端末１０は選択された決済方式にて決済処理を行う（Ｓ２４）。決済処理の終了後、携帯端末１０は、決済を行った決済方式と、決済場所に関する情報を携帯端末１０の記憶部２０に記憶する（Ｓ２６）。
以上、本実施の形態の携帯端末１０および決済装置３０の構成および動作について説明した。
【００５３】
本実施の形態の携帯端末１０は、最初に、携帯端末１０と決済装置３０とに共通の決済方式を決済装置３０から取得し、取得した複数の共通の決済方式のうちから、その決済場所において直近に用いた決済方式を選択して画面に表示する。これにより、画面に表示された決済方式をユーザが選択すれば、直ちに決済処理が行われるので、ユーザが選択する可能性の高い実績のある決済方式を簡単なインターフェースで選択することが可能となる。
【００５４】
また、本実施の形態の携帯端末１０は、直近に用いた決済方式を使用しない場合には、携帯端末１０と決済装置３０とに共通の複数の決済方式を選択肢として表示する。この際、直近に用いた決済方式を第１の選択肢とし、使用頻度の高い順に第２以降の選択肢として表示することにより、直近に用いた決済方式または使用頻度の高い決済方式を簡単なインターフェースで選択することができる。
【００５５】
以上、本発明の携帯端末１０および決済装置３０について実施の形態を挙げて詳細に説明したが、本発明は上記した実施の形態に限定されるものではない。
【００５６】
上記した実施の形態では、携帯端末１０と決済装置３０とに共通する決済方式を決済履歴に基づいて並べて表示する処理を携帯端末１０が行っているが、この処理は決済装置３０が行ってもよい。この場合、携帯端末１０は、携帯端末１０が対応している決済方式の情報を送信する際に、決済履歴の情報を決済装置３０に送信する。決済装置３０は、携帯端末１０から送信された決済履歴に基づいて、直近の決済方式を１位に順位付けし、使用頻度の高い順に２位以下の順位を付すことにより、決済方式を表示する順番を決定する。決済装置３０は、図９に示すように決済装置３０に接続されたＰＯＳレジ６０の画面６２，６４に決済方式の選択肢を表示することが好ましい。ユーザ側の画面６４に表示することで、ユーザは利用可能な決済方式を一目で把握できる。また、オペレータ側の画面６２に表示することで、ユーザが選択した決済方法を、ＰＯＳレジ６０のキーボード６６から容易に入力することができる。
【００５７】
また、上記した実施の形態において、決済履歴として、決済日時、決済場所、決済方式に関する情報を保存する例について説明したが、古い決済履歴については、各決済方式の決済回数のみを記憶しておき、決済日時および決済場所に関する情報を消去してもよい。これにより、記憶部２０の領域を有効に使用することができる。
【００５８】
また、上記した実施の形態では、決済方式一覧を表示する際に、直近に用いられた決済方式を順位１位とし、その後に使用頻度の高い順に順位を付与して、表示順序を決定しているが、決済履歴２４に基づく決済方式の表示順序は、この順序に限られない。例えば、直近に用いられた２つの決済方式を順位１位、２位とし、その後に使用頻度の高い方から順位を付してもよい。また、決済方式の使用頻度とその決済方式を最後に使用してからの期間との兼ね合いで表示順序を決定してもよい。この他にも、決済履歴に基づく表示順序の決定方法は、様々な方法が考えられる。
【００５９】
また、上記した実施の形態では、決済方式の選択肢を表示するときには、直近に用いられた決済方式に順位１位を付与して順番に並べて表示しているが、直近に用いられた決済方式が採用されないことによって（Ｓ１８でＮＯ、図３参照）、決済方式選択の処理（Ｓ２０）に以降した場合には、決済方式選択の処理（Ｓ２０）において、直近に用いられた決済方式を選択肢から除いてもよい。
【００６０】
また、上記した実施の形態では、決済方式一覧を表示画面において（Ｓ２０）、決済方式が選択されると（Ｓ２２）、直ちに決済処理が行われる（Ｓ２４）例について説明したが、決済処理を行う前に、ユーザが選択した決済方式で決済を行ってよいか否かの確認をしてもよい。これにより、誤操作による決済処理を防止できる。また、決済方式の確認を行う際に、パスワードを入力させる構成とすれば、セキュリティの向上を図ることができる。
【産業上の利用可能性】
【００６１】
本発明によれば、その決済場所においてユーザが希望する可能性の高い決済方式を選択できるという優れた効果を有し、複数の決済方式に対応した携帯端末等として有用である。
【図面の簡単な説明】
【００６２】
【図１】実施の形態の携帯端末および決済装置の構成を示す図
【図２】携帯端末の記憶部に記憶された決済履歴のデータの例を示す図
【図３】携帯端末の動作を示すフローチャート
【図４】決済装置から共通決済方式を取得する動作を示すフローチャート
【図５】決済装置から共通決済方式を別の態様で取得する動作を示すフローチャート
【図６】決済方式一覧の表示順序の決定動作を示すフローチャート
【図７】決済方式確認の画面の例を示す図
【図８】決済方式一覧表示の画面の例を示す図
【図９】ＰＯＳレジの斜視図
【符号の説明】
【００６３】
１０  携帯端末
１２  ＣＰＵ
１４  表示部
１６  入力部
１８  ＩＣチップ
２０  記憶部
２２  決済プログラム
２４  決済履歴
３０  決済装置
３２  ＣＰＵ
３４  表示部
３６  ＰＯＳインターフェース
３８  リーダライタインターフェース
４０  通信インターフェース
５０  記憶部
５２  決済プログラム
５４  場所情報
６０  ＰＯＳレジ
６２、６４  画面
６６  キーボード
７０  回線
７２  金融機関端末
７４  クレジット会社端末
７６  企業独自端末
【図１】
2007102319.tif 000003
【図２】
2007102319.tif 000004
【図３】
2007102319.tif 000005
【図４】
2007102319.tif 000006
【図５】
2007102319.tif 000007
【図６】
2007102319.tif 000008
【図７】
2007102319.tif 000009
【図８】
2007102319.tif 000010
【図９】
2007102319.tif 000011